(57)【要約】  コンソール（２）、コンソール（２）内に回転可能に軸承された、間に間隔（Ａ）を画成する少なくとも２つの方向変換棒（４、５；５０）によって形成される巻取り軸（３）および回転軸（Ｄｗ）を中心に巻取り軸（６）を回転させるための締付けレバー（６）を有する、ベルトバンド（Ｂ）、押し出し形成されたバンド、ロープ、チェーンなどのような、張り手段を締め付けて保持するための締付けラチェットに関する。本発明に基づく締付けラチェットは、より高い負荷に耐え、かつユーザーの許容されない負担を回避しながら、高い付勢力をもたらすことを可能にする。これは、方向変換棒（４、５；５０）の、少なくとも張り手段（Ｂ）と接触する外側の周面（２８、２９、５４）の位置が可変であることによって達成される。
2009500573.tif 000002
【特許請求の範囲】
【請求項１】
ベルトバンド（Ｂ）、押し出し形成されたバンド、ロープ、チェーンなどのような、張り手段を締め付けて保持するための締付けラチェットであって、
コンソール（２）と、コンソール（２）内に回転可能に軸承された、間に間隔（Ａ）を画成する少なくとも２つの方向変換棒（４、５；５０）によって形成される巻取り軸（３）と、回転軸（Ｄｗ）を中心に前記巻取り軸（６）を回転させるための締付けレバー（６）とを有する、ものにおいて、
前記方向変換棒（４、５；５０）の、少なくとも張り手段（Ｂ）と接触する外側の周面（２８、２９、５４）の位置が可変である、ことを特徴とする締付けラチェット。
【請求項２】
前記方向変換棒（４、５；５０）が、その軸間隔（Ａ）を増大させるために、前記回転軸（Ｄｗ）に関して半径方向に摺動可能に軸承されている、ことを特徴とする請求項１に記載の締付けラチェット。
【請求項３】
前記方向変換棒（４、５；５０）が、その側方の端部において、ガイド内で案内されている、ことを特徴とする請求項２に記載の締付けラチェット。
【請求項４】
前記ガイドが、カーブルートを描く、ことを特徴とする請求項３に記載の締付けラチェット。
【請求項５】
前記方向変換棒（４、５；５０）が、その長手軸に対して軸平行に方位付けされた揺動軸（Ｓ４，Ｓ５、５０）を中心に回転可能に軸承されている、ことを特徴とする請求項１から４のいずれか１項に記載の締付けラチェット。
【請求項６】
前記方向変換棒（４、５；５０）の前記揺動軸（Ｓ４、Ｓ５、５０）が、前記方向変換棒（４、５；５０）の横断面に関して偏心して配置されている、ことを特徴とする請求項５に記載の締付けラチェット。
【請求項７】
前記方向変換棒（４、５；５０）が、円に近い横断面形状を有している、ことを特徴とする請求項１から６のいずれか１項に記載の締付けラチェット。
【請求項８】
前記方向変換棒（４、５；５０）が、円セクターに近い横断面形状を有している、ことを特徴とする請求項１から６のいずれか１項に記載の締付けラチェット。
【請求項９】
前記方向変換棒（４、５；５０）が、カムの形状に近い横断面形状を有している、ことを特徴とする請求項１から６のいずれか１項に記載の締付けラチェット。
【請求項１０】
前記方向変換棒（４、５；５０）が、その側方の端部に、それぞれ軸受部分（４ａ、５ａ）を有しており、前記軸受部分によって前記方向変換棒がコンソール（２）内に軸承されている、ことを特徴とする請求項１から９のいずれか１項に記載の締付けラチェット。
【請求項１１】
前記方向変換棒（４、５；５０）が、その軸受部分（４ａ、５ａ；５１、５２）を介してコンソール（２）内に移動可能に軸承されている、ことを特徴とする請求項１０に記載の締付けラチェット。
【請求項１２】
前記方向変換棒（４、５；５０）が少なくとも、張り手段（Ｂ）と接触する周面（２８、２９）を支持する、周面部材（２４、２５；５０）と軸受部材（２２、２３）から形成されており、前記軸受部材を介しておよび／または前記軸受部材を中心に、前記周面（２８、２９）の位置変化が行われる、ことを特徴とする請求項１から１１のいずれか１項に記載の締付けラチェット。
【請求項１３】
前記軸受部材（２２、２３）が、その軸受部分（４ａ、５ａ）によってコンソール（２）内に軸承されたボルトであって、前記周面部材（２４、２５；５０）が、ボルトを中心に屈曲された薄板部品からなる、ことを特徴とする請求項１２に記載の締付けラチェット。
【請求項１４】
前記周面部材（２４、２５；５０）が、前記軸受部材（２２、２３）上に回転可能に軸承されている、ことを特徴とする請求項１２または１３のいずれか１項に記載の締付けラチェット。
【請求項１５】
前記方向変換棒（４、５；５０）が、軸受部品（１８、１９）内に共通に軸承されており、前記軸受部品が前記コンソール（２）内に回転可能に軸承されている、ことを特徴とする請求項１から１４のいずれか１項に記載の締付けラチェット。
【請求項１６】
前記巻取り軸（３）を回転位置に係止するための係止装置が設けられている、ことを特徴とする請求項１から１５のいずれか１項に記載の締付けラチェット。
【請求項１７】
方向変換面の少なくとも１つに、ストッパが対応づけられており、前記ストッパが、方向変換面が移動する距離を制限する、ことを特徴とする請求項１から１６のいずれか１項に記載の締付けラチェット。
【発明の詳細な説明】
【技術分野】
【０００１】
本発明は、コンソール、コンソール内に回転可能に軸承された、間に間隔を有する少なくとも２つの方向変換棒によって形成される巻取り軸、回転軸を中心に巻取り軸を回転させる締付けレバーおよび巻取り軸を回転位置に係止するための係止装置を有する、ベルトバンド、押出し形成されたバンド、ロープ、チェーンなどのような、張り手段を締め付けかつ保持するための締付けラチェットに関する。この種の締付けラチェットは、たとえば積荷を固定する場合に、それぞれ積荷を固定するために使用される張り手段に、積荷を確実に保持するために必要な、高い引っ張り力を供給するために使用される。
【背景技術】
【０００２】
そのために、実際の使用においては、コンソールは適切な保持部材を介してストッパ点に結合され、それぞれ積荷の回りに巻き付けられた張り手段は一方の終端部分において方向変換棒の間に設けられた間隙を通して伸張される。次に、方向変換棒によって形成される巻取り軸を回転させる場合に、該当する終端部分が方向変換棒によって連動されて、巻取り軸上に多層で巻き上げられる。その場合に巻物の大きさと形状は、方向変換棒の周面の位置と形状によって定められる。
【０００３】
締付けラチェットの典型的な例が、特許文献１、特許文献２または特許文献３に記載されている。これらの締付けラチェットにおいて、方向変換棒は、それぞれ円セクター形状に形成された同一の横断面形状を有している。その場合に方向変換棒の、張り手段と接触する外側の周面の曲率の半径およびその互いに対する不変の軸間隔は、それらが方向変換棒の間に存在する間隔の領域にいたるまで、断面において円形の巻取り軸を定めるように、選択されている。方向変換棒の間隔は、そこにそれぞれの張り手段の終端部分を十分に挿入することができる大きさである。
【０００４】
方向変換棒が、その方向変換棒よって形成される巻取り軸の回転軸を中心に共通に巻かれることによって、それらの間に挿入された、張り手段の終端部分が連動されて、巻取り軸上に多層の巻物が形成され、その巻物の、張り手段へかかる引っ張り力の結果として互いに密に重なる層は、高い面摩擦とそれに応じた高いセルフロックによって巻取り軸上に保持される。
【０００５】
巻取り軸を軸承し、同時に確実かつ均一な負荷のもとでストッパと結合することができるようにするために、既知の種類の締付けラチェットにおいては、コンソールは通常ベースを有するＵ字の形状で形成されており、そのベースの端部からそれぞれ脚が出ている。脚の自由端部の領域に、円形の軸受開口部が形成されており、その開口半径は方向変換棒の周面の曲率の半径にわずかな余分をもって適合されている。軸受開口部内に巻取り軸の方向変換棒の端部があそびをもって挿入されているので、方向変換棒は軸受開口部の中心点を通って延びる回転軸を中心に回転することができる。
【０００６】
張り手段を締め付けるために、既知のラチェットには、方向変換棒と相対回動不能に結合された、巻取り軸の回転軸を中心に揺動可能な締付けレバーが設けられている。締付けレバーは、さらに、通常少なくとも１つのラチェット歯車を支持しており、そのラチェット歯車は巻取り軸の回転軸に対して同軸に軸承されて、締付けレバーと相対回動不能に結合されている。ラチェット歯車は、コンソールに軸承されている爪、いわゆる「ロックスライダ」と協働し、その爪は締付けレバーの揺動に伴ってラチェット歯車が回転した場合にラチェット歯車の歯の間に存在する隙間へ嵌入して、それぞれ達成された、巻取り軸の回転位置を固定する。
【０００７】
締め付けられた状態において、締付けラチェット上に巻き上げられた張り手段も、それぞれのストッパに結合されたコンソールもぴんと張られるので、コンソールは理想的な場合においてストッパ、巻取り軸の回転軸および張り手段を通って延びるパワーライン内に保持される。
【０００８】
固定すべき積荷を確実に保持するために、通常、張り手段内に高い張力が必要である。これを締付けラチェットを介して調節することができるようにするために、既知の締付けラチェットは、通常、かなりの長さの締付けレバーを有している。巻き上げられたベルトバンドの半径に対するレバーの腕の長さの比が、導入された力の変換をもたらす。この力は、一方で、その個人的な強さまたはその重量によって締付けレバーを必要な締付け位置へ移動させるユーザーの能力によって制限される。他方で、ユーザーによってもたらすべき最大許容される手の力は、規格ＥＮ１２１９５−２によって制限される。
【０００９】
より長い締付けレバー、あるいはレバーの力の付加的な変換によって、締付けラチェットを介してもたらすことのできる締付け力を上述した限界を維持しながら高めることが、試みられている。しかし、実際においては、このようにして発生される締付け力は構造全体の高い負荷をもたらし、締付けラチェットの個別部品が過負荷を受けてしまう。さらに増大された締付け力を可能にする締付けラチェットの、連続負荷耐性と駆動安全性に対する要請を考慮する設計は、結果としてもはや取り扱うことのできない重量と支配しがたい寸法をもたらす。
【特許文献１】欧州特許０４５５０８５Ｂ１
【特許文献２】米国特許５２８２２９６
【特許文献３】ドイツ特許２９６０７２７５Ｕ１
【発明の開示】
【発明が解決しようとする課題】
【００１０】
上述した従来技術に基づいて、本発明の課題は、より高い負荷に耐え、かつユーザーの許容できない負荷を回避しながら高い締付け力をもたらすことを可能にする、簡単に取り扱うことのできる締付けラチェットを提供することである。
【課題を解決するための手段】
【００１１】
この課題は、冒頭で上げた種類の締付けラチェットによって解決され、その締付けラチェットにおいて本発明によれば、方向変換棒の、少なくとも張り手段と接触する外側の周面の位置が可変である。
【００１２】
本発明に基づく締付けラチェットにおいて、方向変換棒の、張り手段と接触する周面、従って巻取り軸上の張り手段から形成される巻物の形状と広がりを定める周面は、もはや互いに対して固定的に位置決めされておらず、その相対位置は、たとえば張り手段によって吸収される力の影響を受けて、あるいは外部から定められて、変化することができる。
【００１３】
このようにして、一方で、方向変換棒の回りに巻かれた巻物が最適にコンパクトな形状を得て、その形状において個々の巻き層は互いにきっちりと重なり、従ってそれらの間に高いセルフロック力が作用する。他方で、本発明に従って周面が移動できることが、締付け負荷の元で方向変換棒の均一な負荷をもたらす。方向変換棒の周面によって、方向変換棒を中心に形成された巻物の輪の形状と広がりが定められる。周面の位置が負荷を受けて変化し、たとえば巻物の輪の直径が小さくなるように調節されることによって、方向変換棒の均一な負荷が得られる。すなわち、本発明に基づいて形成された締付けラチェットにおいて自立的に生じる、方向変換棒の周面の方位付けは、伝達すべき締付け力が従来技術の場合よりもより均一に分配されて方向変換棒に負荷を与えることを、保証する。従って、従来技術において存在する、唯一の方向変換棒が単独で締付け力全体によって負荷を受ける危険は、本発明に基づく締付けラチェットにおいては、もはや存在しない。結果として、本発明に基づく締付けラチェットは、許容される限界内に留まる操作力において高い締付け力を可能にする、延長された締付けレバーを有することができ、そのためにこの種の締付けラチェットの全体として強化された構造は不要である。本発明に基づいて形成された締付けラチェットは、このようにして、より好ましいレバー比とレバー作用を選択することによって、常に規則を遵守する等しい操作力において、従来技術において可能であるよりも高い付勢力を張り手段へ及ぼすことを、可能にする。
【００１４】
その場合に周面が本発明に基づいて移動できることは、２本以上の方向変換棒の間にそれぞれ存在する空間に一端を挿通された張り手段が、張り手段に負荷がかかった場合に周面の位置変化が発生する結果として、方向変換棒の間に形状結合または力結合で保持されるので、すべての方向変換棒が全体として締付けラチェットと張り手段に作用する負荷の少なくとも一部を吸収するように、設計することができる。同様に、周面を移動可能とするこの設計は、方向変換棒を中心に巻かれた張り手段の巻物の輪の大きさを最小限に抑えるために、利用することができる。このようにして、方向変換棒への力のさらに均一な分配が得られ、それに伴ってさらに高い付勢力を発生させることができる。
【００１５】
その場合に、本発明に基づく締付けラチェットによって、上述したように巻物として巻かれるすべての張り手段が締め付けられ、その巻物の個別層は力を伝達するために十分に密なパッキングで互いに重ねて巻き上げることができる。この目的のために特に適していることが明らかにされたのは、ベルトバンド、押し出し形成されたバンド、ロープなどである。しかし、本発明に基づく張り手段の利点は、チェーンまたは同様な張り手段を締め付ける場合にも認められる。
【００１６】
周面の本発明に基づく移動可能性を実現する第１の可能性は、方向変換棒がその軸間隔を増大させるために、巻取り軸の回転軸に関して半径方向に摺動可能に軸承されることにある。本発明のこの形態において、方向変換棒は、たとえば締付けラチェットのコンソール内に形成されたガイド内で移動することができる。そのために方向変換棒の終端部分を軸受部分として形成することができ、その軸受部分が対応するガイド溝またはガイドスロット内へ嵌入する。その場合に、実際において生じる、締付けラチェット全体または方向変換棒の負荷と移動に従って、該当するガイド部材は、本発明に基づいて指向される周面の自立的変位を、実際の使用において方向変換棒の最適に均一な負荷が得られるように制御するために、線形またはカーブ形状の推移を有している。
【００１７】
半径方向に行われる変位の代わりに、あるいはそれに加えて、方向変換棒を、張り手段と接触する、その外側の周面の位置を変化させるために、その長手軸に対して軸平行に方向付けされた揺動軸を中心に回転可能に軸承することができる。その場合に方向変換棒によって形成される巻取り軸上に形成される巻物の、指向される均一な負荷と最適化された形状付与を、方向変換棒の揺動軸が方向変換棒の横断面に関して偏心して配置されていることによって、さらに支援することができる。
【００１８】
本発明の、特に簡単かつ安価に形成すべき形態は、方向変換棒が円に近い横断面形状を有していることを、特徴としている。この場合において、方向変換棒として、ロッド材料からカットされた、単純なボルトが使用される。
【００１９】
それに対して巻取り軸上での張り手段のガイドの改良とそれに伴って巻物の形成の改良は、方向変換棒が円セクターに近い横断面形状を有していることによって、達成することができる。
【００２０】
本発明に基づく締付けラチェットの部品の機能および均一な負荷は、方向変換棒がカムの形状に近い横断面形状を有していることによって、さらに最適化することができる。まさに、この種のカム形状の方向変換棒が、その中心点に対して偏心して軸承された、その長手軸に対して軸平行に延びる揺動軸を中心に揺動可能に配置されている場合に、本発明に基づいて指向される、方向変換棒の均一な負荷をもたらす、周面の方向付けが特に確実に生じる。
【００２１】
方向変換棒をそれぞれそれ自体専用の揺動軸を中心に揺動させようとする場合には、そのためにその側方の端部にそれぞれ軸受部分を設けることができ、その軸受部分によって方向変換棒がそれぞれコンソール内に軸承されている。これは特に、方向変換棒がその軸受部分の外部に、円形とは異なる直径形状を有していると、効果的である。
【００２２】
簡単な形成に関して特に好ましい、本発明の他の形態は、方向変換棒が多部材で構成されていることを、特徴としている。そのために、方向変換棒は、張り手段と接触する周面を支持する周面部材と軸受部材とから形成することができ、その軸受部材を介して、かつ／またはその軸受部材を中心に、周面の位置変化が行われる。その場合に、同時に製造コストを最小限に抑えると共に最適化された重量状況は、軸受部材がその終端部分をコンソール内に軸承されたボルトであって、周面部材がボルトを中心に曲げられた薄板部品からなることによって、得られる。
【００２３】
方向変換棒の多部材の形成において、簡略化された形成の他に、複数の自由度において周面が移動できることが可能になる。すなわち、一方で、周面部材は軸受部材上に回転可能に軸承することができる。しかし同時に、たとえば、方向変換棒の外側の周面の位置変化をその軸間隔の変化によって可能にするために、軸受部材をコンソールのガイド内で案内することができる。
【００２４】
同時に方向変換棒の外側の周面の最大可能な移動自由度において、巻取り軸の回転駆動を実施する、特に簡単な可能性は、方向変換棒が軸受部品内に共通に軸承されており、その軸受部品がコンソール内に回転可能に軸承されていることにある。この場合において軸受部品は、締付けレバーに結合するために使用することができ、同時に軸間隔を調節するために必要なガイドおよび／または軸受を有することができ、それらは方向変換棒をそのそれぞれの揺動軸を中心に揺動させるために必要とされる。
【００２５】
もちろん、上述した説明は、２つの方向変換棒のみを有する締付けラチェットに限定されるものではない。すなわち本発明は、本発明に基づいて形成された締付けラチェットが３つ以上の方向変換棒を有している場合も、同様に効果的に作用する。重要なことはただ、その場合に方向変換棒の周面が本発明に基づくやり方で移動可能であって、それによって、指向されるすべての方向変換棒の負荷の均一化および同様に指向される、方向変換棒によって形成される巻取り軸上の、その形状において最適化された巻物の形成が得られることである。
【００２６】
方向変換棒が本発明に基づいて移動可能であることによって張り手段の損傷がもたらされることを、確実に回避するために、本発明の形態によれば、方向変換面の少なくとも１つは制限つきでのみ移動できる。この目的のために、方向変換面の少なくとも１つにストッパを対応づけることができ、そのストッパが、方向変換面が移動する距離を制限する。この種のストッパによって、特に方向変換棒の間に存在する空間内で、張り手段の引きちぎりあるいは食込みが生じることを、確実に防止することができる。
【発明を実施するための最良の形態】
【００２７】
以下、実施例を示す図面を用いて、本発明を詳細に説明する。
【００２８】
バンドＢを締め付けるための締付けラチェット１は、コンソール２、２つの方向変換棒４、５によって形成されて、コンソール２内に回転可能に軸承された巻取り軸３および回転軸Ｄｗを中心に巻取り軸３を回転させる締付けレバー６を有している。バンドＢは、従来のベルトバンドまたはたとえば、押出しによって形成されたフラットバンドであることができる。
【００２９】
コンソール２は、Ｕ字の基本形状を有しており、そのベースはボルト７によって形成され、そのボルトを介して締付けラチェット１が実際の使用において、ベルト片Ｇによりここには図示されていない固定のストッパ点に接続されている。ボルト７は、その終端部分をそれぞれ開口部内に圧入されており、その開口部はそれぞれコンソール２の内側の脚板８、９に形成されている。内側の脚板８、９は、それらの間に延びるベースプレート１０を介して互いに一体的に結合されている。コンソール２の各側に、それぞれ内側の脚板８、９に対してわずかな距離で配置された外側の脚板１１、１２が、対応する開口部を介してボルト７のそれぞれの終端部分上にプレス嵌めされている。
【００３０】
内側と外側の脚板８、９、１１、１２は、同一の形状を有し、かつその位置と配置に関して同一の孔と切欠きを有している。この設定に従って、脚板８、９、１１、１２の前方の自由な終端部分に、それぞれ円形の軸受開口部１３、１４が形成されている。脚板８、９、１１、１２の中央の部分には、さらにそれぞれロックスライダ１７のためのガイドスロット１６、１６が形成されており、そのロックスライダは図示されていないばねによって、脚板８、９、１１、１２の前方の自由端部の方向に付勢されている。
【００３１】
軸受開口部１３、１４内に、それぞれ円ディスク形状の軸受部品１９、１９が自由に回転可能にあそびをもって挿入されており、その軸受部品にはそれぞれ２つの軸受開口部２０、２１が形成されている。軸受開口部２０、２１は、それぞれの軸受部品１８、１９の中心点に対して同一の間隔で、該当する軸受部品１８、１９の中心点を通って延びる軸上に配置されている。
【００３２】
軸受部品１８、１９の互いに対向する軸受開口部２０、２１内に、ボルト状に形成された軸受部材２２、２３の軸受部分４ａ、５ａが回転可能に軸承されており、それら軸受部分の各々は、方向変換棒４、５の一部である。方向変換棒４、５は、２つに分けて形成されており、そのそれぞれの軸受部材２２、２３の他に、それぞれ周面部材２４、２５を有している。
【００３３】
周面部材２４、２５は、それぞれ薄板裁断片から屈曲されており、その薄板裁断片がまず、それぞれの軸受部材２２、２３の回りに巻き付けられて、次に大きい半径Ｒで湾曲された曲率でその自由端部へ案内されており、その自由端部が小さい湾曲２６、２７で屈曲されている。このようにして周面部材２４、２５は、横断面で見て、それぞれの軸受部材２２、２３の回りに巻き付けられた領域において比較的厚い部分を有するカム形状と、周面部材２４、２５の自由端部の領域においてはそれぞれ湾曲２６、２７によって形成される尖端部分を有している。その場合に方向変換棒４、５のそれぞれの揺動軸Ｓ４、Ｓ５は、方向変換棒４、５の横断面の中心点に対して偏心して配置されている。
【００３４】
周面部材２４、２５は、それに対応づけられた軸受部材２２、２３の回りに、密接して屈曲されており、それによって軸受部材と力結合で結合されている。その幅は、内側の脚板８、９の間に存在する内側幅に、わずかな過小寸法をもって相当する。このようにして、軸受部材２２、２３の１つと周面部材２４、２５の１つによって形成される方向変換棒４、５が、軸受部材２２、２３の長手軸に対して同軸に延びる揺動軸を中心に揺動する。
【００３５】
巻取り軸３の直径大きさと横断面形状は、周面部材２４、２５の、半径Ｒで湾曲された外側の周面２８、２９の位置と形状によって定められる。その場合に周面部材２４、２５の周面２８、２９は、バンドＢが巻取り軸３上に巻かれた場合にこのバンドＢと接触する外側の周面を形成する。
【００３６】
揺動軸Ｓ４、Ｓ５は、互いに対して間隔Ａで軸平行に配置されているので、それらの間に自由空間が画成され、その中へバンドＢの終端部分を巻き取るために導入することができる。方向変換棒４、５の周面２８、２９が、揺動軸４ａ、５ａを中心とする揺動によってだけでなく、揺動軸Ｓ４、Ｓ５の半径方向の摺動による間隔Ａの変化によっても変化させることができるようにする場合には、そのために軸受部品１８、１９の軸受開口部２０、２１を、ここには図示されていない方法で、ガイドスロットの形式で形成することができる。
【００３７】
方向変換棒４、５の軸受部分４ａ、５ａの長さは、軸受部分４ａ、５ａが軸受部品１８、１９およびそれぞれの脚板８、９を越えて外側へ突出するように、定められている。脚板８、９の各外側において、そこで軸受部品１８、１９を越えて突出している、方向変換棒４、５の軸受部分４ａ、５ａ上に、ラチェット歯車３０、３１が差し嵌められる。そのためにラチェット歯車３０、３１の各々は、方向変換棒４、５の軸受部分４ａ、５ａの位置と大きさに適合された２つの開口部３２、３３を有している。ラチェット歯車３０、３１は、それ自体既知の方法で歯切りを有しており、その歯３４は負荷を受けてその急峻な側面が、歯３４の間隙内へ嵌入する、移送スライダ１７のエッジに支持され、かつ巻取り軸３の回転位置がロックされ、一方、巻取り軸３が巻取り方向に回転した場合には、その丸みを帯びた側面が移送スライダ１７の該当するエッジを通過する。
【００３８】
締付けレバー６は、同様にＵ字の基本形状を有しており、そのベースはハンドロッド３５によって形成され、そのハンドロッドに側方の脚板３６、３７が連続している。脚板３６、３７の長さＬは、コンソール２の内側と外側の脚板８、９、１１、１２の長さのほぼ２倍の長さである。締付けレバー６の脚板３６、３７は、その自由端部にそれぞれ、その大きさ、形状および位置関して軸受部品１８、１９に適合された、ここには図示されていない２つの軸受開口部を有しており、その軸受開口部を介して締付けレバー６が軸受部品１８、１９上に回転自在に軸承されている。
【００３９】
各側において、方向変換棒４、５の軸受部分４ａ、５ａ上に外側からさらにそれぞれ他のラチェット歯車３８、３９が差し嵌められており、そのラチェット歯車はそれぞれラチェット歯車３０、３１と全く同様に形成されている。それぞれ外側の脚板１１、１２が、コンソール２の構造の外側の側方終端を形成しており、その脚板の軸受開口部１４内にそれぞれ軸受部品１８、１９に相当する円形ディスク形状の軸受部品４０が回転可能に軸承されており、かつその軸受開口部内に方向変換棒４、５の軸受部分４ａ、５ａの端部が取り付けられている。
【００４０】
締付けレバー６内でロック爪４１が案内されており、そのロック爪は図示されていないばねによって連動位置に保持されており、その連動位置においてそのロックエッジがラチェット歯車３０、３１、３８、３９の歯３４の間に存在する歯間隙へ嵌入する。
【００４１】
上述した多部材の形態の代わりに、方向変換棒４、５をむく材から一体的に形成することもできる。それに応じて形成された方向変換棒５０が、図６に示されている。この種の方向変換棒５０は、たとえば切削方法で形成することができる。その場合に方向変換棒５０は、中央の部分５１を有しており、それが同様にカム形状に近い横断面を有している。それに一体的に、かつ横断面中央に対して変位して方位付けされた軸受部分５２、５３が接続されており、その軸受部分を介して、軸受部分４ａ、５ａを介しての方向変換棒４、５の軸承と同様にして、方向変換棒５０の揺動可能な軸承が行われる。方向変換棒５０の、実際の使用においてバンドＢと接触する周面５４は、方向変換棒５０の中央の部分５１の、大きい半径Ｒで湾曲された外側面によって定められている。
【００４２】
バンドＢを締め付けるために、その端部が方向変換棒４、５の間に画成される空間に挿通されて、巻取り軸３に一回巻かれるので、方向変換棒４、５の外側の周面２８、２９がバンドＢによって覆われる。次に、締付けレバー６をその回転軸Ｄｗを中心に多数回昇降させることによって巻取り軸３が回転されるので、巻取り軸３上に多層の巻物Ｗが形成される。この巻取りプロセスの途中で、バンドＢがどんどん締め付けられるので、巻物Ｗの巻きもますます強く、かつ密に引き締められる。このように負荷が強くなる結果、軸受部材２２、２３を介して揺動可能に軸承された方向変換棒の周面部材２４、２５が、力作用線に関するその方向付けに応じて方向付けされるので、方向変換部材４、５の、バンドＢと接触し、かつ締付け力によって直接負荷を受ける外側の周面２８、２９がそれぞれの負荷に応じて方向付けされる。その結果、巻物Ｗは、しっかりとパックされた形状を形成し、その形状によって、方向変換棒４、５が巻取り軸３に全体として作用する力によって均一に負荷を受けることが、保証される。その結果、著しく延長された締付けレバー６によってバンドＢへ高い締付け力をもたらすことができ、ユーザーは過度に大きい力を行使する必要はなく、かつ締付けラチェット１の個別部品が過負荷を受けることがない。
【図面の簡単な説明】
【００４３】
【図１】締付けラチェットの斜視図である。
【図２】図１に示す締付けラチェット内に挿入される、方向変換棒、軸受部分およびラチェット歯車を有するコンソールを示す分解斜視図である。
【図３】図２に示すコンソールの縦断面図である。
【図４】図２に示すコンソールを、第１の駆動位置で示す縦断面図である。
【図５】図２に示すコンソールを、第２の駆動位置で示す縦断面図である。
【図６】代替的な方向変換棒を示す斜視図である。
【符号の説明】
【００４４】
１    締付けラチェット
２    コンソール
３    巻取り軸
４、５    方向変換棒
４ａ、５ａ    方向変換棒４、５の軸受部分
６    締付けレバー
７    ボルト
８、９    コンソール２の内側の脚板
１０    ベースプレート
１１、１２    コンソール２の外側の脚板
１３、１４    脚板８、９、１１、１２の軸受開口部
１５、１６    ガイドスロット
１７    移送スライダ
１８、１９    軸受部品
２０、２１    軸受開口部
２２、２３    軸受部材
２４、２５    周面部材
２６、２７    湾曲
２８、２９    周面部材２４、２５の周面
３０、３１    ラチェット歯車
３２、３３    ラチェット歯車３０、３１の開口部
３４    ラチェット歯車３０、３１の歯
３５    ハンドロッド
３６、３７    締付けレバー６の脚板
３８、３９    ラチェット歯車
４０    軸受部品
４１    ロック爪
５０    方向変換棒
５１    方向変換棒５０の中央の部分
５２、５３    方向変換棒５０の軸受部分
５４    方向変換棒５０の周面
Ａ    方向変換棒４、５の間の間隔
Ｂ    バンド
Ｄｗ    回転軸
Ｇ    ベルト片
Ｒ    周面２８、２９の曲率半径
Ｓ４、Ｓ５    方向変換棒４、５の揺動軸
Ｗ    巻物
【図１】
2009500573.tif 000003
【図２】
2009500573.tif 000004
【図３】
2009500573.tif 000005
【図４】
2009500573.tif 000006
【図５】
2009500573.tif 000007
【図６】
2009500573.tif 000008
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
ベルトバンド（Ｂ）、押し出し形成されたバンド、ロープ、チェーンなどのような、張り手段を締め付けて保持するための締付けラチェットであって、
コンソール（２）と、コンソール（２）内に回転可能に軸承された、間に間隔（Ａ）を画成する少なくとも２つの方向変換棒（４、５；５０）によって形成される巻取り軸（３）と、回転軸（Ｄｗ）を中心に前記巻取り軸（６）を回転させるための締付けレバー（６）とを有する、ものにおいて、
前記方向変換棒（４、５；５０）の、少なくとも前記張り手段（８）と接触する外側の周面（２８、２９、５４）の相対位置が、前記張り手段（８）によって吸収される力の影響を受けて、または外部から定められて、変化することができることを特徴とする締付けラチェット。
【請求項２】
前記方向変換棒（４、５；５０）が、その軸間隔（Ａ）を増大させるために、前記回転軸（Ｄｗ）に関して半径方向に摺動可能に軸承されている、ことを特徴とする請求項１に記載の締付けラチェット。
【請求項３】
前記方向変換棒（４、５；５０）が、その側方の端部において、ガイド内で案内されている、ことを特徴とする請求項２に記載の締付けラチェット。
【請求項４】
前記ガイドが、カーブルートを描く、ことを特徴とする請求項３に記載の締付けラチェット。
【請求項５】
前記方向変換棒（４、５；５０）が、その長手軸に対して軸平行に方位付けされた揺動軸（Ｓ４，Ｓ５、５０）を中心に回転可能に軸承されている、ことを特徴とする請求項１から４のいずれか１項に記載の締付けラチェット。
【請求項６】
前記方向変換棒（４、５；５０）の前記揺動軸（Ｓ４、Ｓ５、５０）が、前記方向変換棒（４、５；５０）の横断面に関して偏心して配置されている、ことを特徴とする請求項５に記載の締付けラチェット。
【請求項７】
前記方向変換棒（４、５；５０）が、円に近い横断面形状を有している、ことを特徴とする請求項１から６のいずれか１項に記載の締付けラチェット。
【請求項８】
前記方向変換棒（４、５；５０）が、円セクターに近い横断面形状を有している、ことを特徴とする請求項１から６のいずれか１項に記載の締付けラチェット。
【請求項９】
前記方向変換棒（４、５；５０）が、カムの形状に近い横断面形状を有している、ことを特徴とする請求項１から６のいずれか１項に記載の締付けラチェット。
【請求項１０】
前記方向変換棒（４、５；５０）が、その側方の端部に、それぞれ軸受部分（４ａ、５ａ）を有しており、前記軸受部分によって前記方向変換棒がコンソール（２）内に軸承されている、ことを特徴とする請求項１から９のいずれか１項に記載の締付けラチェット。
【請求項１１】
前記方向変換棒（４、５；５０）が、その軸受部分（４ａ、５ａ；５１、５２）を介してコンソール（２）内に移動可能に軸承されている、ことを特徴とする請求項１０に記載の締付けラチェット。
【請求項１２】
前記方向変換棒（４、５；５０）が少なくとも、張り手段（Ｂ）と接触する周面（２８、２９）を支持する、周面部材（２４、２５；５０）と軸受部材（２２、２３）から形成されており、前記軸受部材を介しておよび／または前記軸受部材を中心に、前記周面（２８、２９）の位置変化が行われる、ことを特徴とする請求項１から１１のいずれか１項に記載の締付けラチェット。
【請求項１３】
前記軸受部材（２２、２３）が、その軸受部分（４ａ、５ａ）によってコンソール（２）内に軸承されたボルトであって、前記周面部材（２４、２５；５０）が、ボルトを中心に屈曲された薄板部品からなる、ことを特徴とする請求項１２に記載の締付けラチェット。
【請求項１４】
前記周面部材（２４、２５；５０）が、前記軸受部材（２２、２３）上に回転可能に軸承されている、ことを特徴とする請求項１２または１３のいずれか１項に記載の締付けラチェット。
【請求項１５】
前記方向変換棒（４、５；５０）が、軸受部品（１８、１９）内に共通に軸承されており、前記軸受部品が前記コンソール（２）内に回転可能に軸承されている、ことを特徴とする請求項１から１４のいずれか１項に記載の締付けラチェット。
【請求項１６】
前記巻取り軸（３）を回転位置に係止するための係止装置が設けられている、ことを特徴とする請求項１から１５のいずれか１項に記載の締付けラチェット。
【請求項１７】
方向変換面の少なくとも１つに、ストッパが対応づけられており、前記ストッパが、方向変換面が移動する距離を制限する、ことを特徴とする請求項１から１６のいずれか１項に記載の締付けラチェット。
【国際調査報告】
2009500573.tif 000009
2009500573.tif 000010
2009500573.tif 000011
2009500573.tif 000012